(57)【要約】【課題】機能が多様となっている撮像装置において、故障判断等が容易に行える撮像装置を提供することを目的とする。【解決手段】本発明にかかる撮像装置は、複数の表示パターンの中からいずれかの表示パターンを選択してＯＳＤデータを生成可能なＯＳＤ生成手段と、生成されたＯＳＤデータが示すＯＳＤを表示する表示手段と、操作手段と、操作手段で受け付けた操作を示す情報と、操作手段が操作を受け付けたときに表示手段で表示しているＯＳＤを示す情報とを対応付けて記憶する記憶手段と、を備える。【選択図】図１
2010050690.tif 000002
【特許請求の範囲】
【請求項１】
複数の表示パターンの中からいずれかの表示パターンを選択してＯＳＤデータを生成可能なＯＳＤ生成手段と、
前記生成されたＯＳＤデータが示すＯＳＤを表示する表示手段と、
操作手段と、
前記操作手段で受け付けた操作を示す情報と、前記操作手段が操作を受け付けたときに前記表示手段で表示しているＯＳＤを示す情報とを対応付けて記憶する記憶手段と、
を備える撮像装置。
【請求項２】
前記記憶手段は、
前記操作手段が受け付ける１回の操作に対して複数の表示パターンが対応する場合、その複数の表示パターンのうちのいずれかを選択して、選択した表示パターンをその操作に対応付けて記憶する、
請求項１に記載の撮像装置。
【請求項３】
前記表示手段による表示を変更する変更手段をさらに備え、
前記操作手段は、
使用者からの押圧を受け付ける被押圧部材を含み、
前記変更手段は、
前記被押圧部材が一度押圧されると前記表示手段による表示を一度変更し、前記被押圧部材が長押しされると前記表示手段による表示を複数回変更し、
前記記憶手段は、
前記受付手段のうちの被押圧部材が一度押圧された場合も長押しされた場合も、前記被押圧部材が押圧されるのに応じて、前記操作手段で受け付けた操作を示す情報と、前記操作手段で操作を受け付けた際に前記表示手段が最初に表示しているＯＳＤに関する情報と、を対応付けて記憶する、
請求項１に記載の撮像装置。
【請求項４】
前記記憶手段は、
前記操作手段が受け付けた操作を示す情報と、前記操作手段が操作を受け付けた際の時間に関する情報と、前記操作手段が操作を受け付けた際に前記表示手段が表示しているＯＳＤに関する情報と、を対応付けて記憶する、
請求項１〜３に記載の撮像装置。
【発明の詳細な説明】
【技術分野】
【０００１】
本発明は撮像装置に関し、特に、使用者による操作履歴を記録可能な撮像装置に関する。
【背景技術】
【０００２】
特許文献１は、使用者による操作履歴を記憶する電子カメラを開示する。この電子カメラは、操作内容を時系列に記録した操作ログを記録するとともに、電子カメラの動作に関わる情報で動作関連情報を記憶する。また、動作関連情報としては、静止画撮像モードや動画撮像モードや再生モードなどの動作モード等が開示されている。
【０００３】
使用者は、この電子カメラに対して、故障判断、エラー解析、修理を容易に行うことができる。
【特許文献１】特開２００５−３３３２５号公報
【発明の開示】
【発明が解決しようとする課題】
【０００４】
しかしながら、近年の電子カメラは、より機能が多様になってきている。その結果、所定の動作モードにおける所定の操作手段に対する操作が必ずしも１つの意味しか持たないとは限らない。つまり、例えば、再生モードにおいて、右釦の押下が再生する画像のコマ送りを意味することもあれば、削除する画像の選択を意味することもある。
【０００５】
このような場合に、使用者の操作内容を時系列に記録した操作ログを記録するとともに、電子カメラの動作に関わる動作関連情報を記録していたとしても、エラー等が発生した際に、電子カメラがどのような動作をしていたかを的確に把握することができない。その結果、電子カメラの故障判断、エラー解析、修理を容易に行うことができない。
【０００６】
そこで、本発明は、機能が多様となっている撮像装置において、故障判断等が容易に行える撮像装置を提供することを目的とする。
【課題を解決するための手段】
【０００７】
上記課題を解決するために、本発明にかかる撮像装置は、複数の表示パターンの中からいずれかの表示パターンを選択してＯＳＤデータを生成可能なＯＳＤ生成手段と、生成されたＯＳＤデータが示すＯＳＤを表示する表示手段と、操作手段と、操作手段で受け付けた操作を示す情報と、操作手段が操作を受け付けたときに表示手段で表示しているＯＳＤを示す情報とを対応付けて記憶する記憶手段と、を備える。
【０００８】
また、本発明にかかる撮像装置において、記憶手段は、操作手段が受け付ける１回の操作に対して複数の表示パターンが対応する場合、その複数の表示パターンのうちのいずれかを選択して、選択した表示パターンをその操作に対応付けて記憶するようにしてもよい。
【０００９】
また、本発明にかかる撮像装置は、表示手段による表示を変更する変更手段をさらに備え、操作手段は、使用者からの押圧を受け付ける被押圧部材を含み、変更手段は、被押圧部材が一度押圧されると前記表示手段による表示を一度変更し、被押圧部材が長押しされると表示手段による表示を複数回変更し、記憶手段は、受付手段のうちの被押圧部材が一度押圧された場合も長押しされた場合も、被押圧部材が押圧されるのに応じて、操作手段で受け付けた操作を示す情報と、操作手段で操作を受け付けた際に表示手段が最初に表示しているＯＳＤに関する情報と、を対応付けて記憶するようにしてもよい。
【００１０】
また、本発明にかかる撮像装置において、記憶手段は、操作手段が受け付けた操作を示す情報と、操作手段が操作を受け付けた際の時間に関する情報と、操作手段が操作を受け付けた際に表示手段が表示しているＯＳＤに関する情報と、を対応付けて記憶するようにしてもよい。
【発明の効果】
【００１１】
本発明によれば、機能が多様となっている撮像装置において、故障判断等が容易に行える撮像装置を提供することができる。
【発明を実施するための最良の形態】
【００１２】
〔１．実施の形態１〕
〔１−１．概要〕
本実施の形態にかかるデジタルカメラ１００は、使用者による操作履歴を記録する。修理担当者は、デジタルカメラ１００が故障等した際にこの操作履歴を参照することにより、デジタルカメラ１００の故障原因を容易に検証することができる。
【００１３】
本発明は、操作履歴を記録する撮像装置において、故障判断が容易に行える撮像装置を提供するためになされた発明である。
【００１４】
〔１−２．構成〕
〔１−２−１．電気的構成〕
本実施の形態にかかるデジタルカメラ１００の電気的構成について、図１を用いて説明する。図１は、デジタルカメラ１００の構成を示すブロック図である。デジタルカメラ１００は、１又は複数のレンズからなる光学系１１０により形成された被写体像をＣＣＤイメージセンサー１３０で撮像する。ＣＣＤイメージセンサー１３０で生成された画像データは、画像処理部１５０で各種処理が施され、メモリカード１９０に格納される。以下、デジタルカメラ１００の構成を詳細に説明する。
【００１５】
光学系１１０は、ズームレンズやフォーカスレンズから構成される。ズームレンズを光軸に沿って移動させることにより、被写体像の拡大、縮小をすることができる。また、フォーカスレンズを光軸に沿って移動させることにより、被写体像のピントを調整することができる。
【００１６】
レンズ駆動部１２０は、光学系１１０に含まれる各種レンズを駆動する。例えばズームレンズを駆動するズームモータや、フォーカスレンズを駆動するフォーカスモータがこれにあたる。
【００１７】
ＣＣＤイメージセンサー１３０は、光学系１１０で形成された被写体像を撮像して、画像データを生成する。ＣＣＤイメージセンサー１３０は、露光、転送、電子シャッタなどの各種動作を行う。
【００１８】
Ａ／Ｄコンバータ１４０は、ＣＣＤイメージセンサー１３０で生成されたアナログ画像データをデジタル画像データに変換する。
【００１９】
画像処理部１５０は、ＣＣＤイメージセンサー１３０で生成された画像データに対して各種処理を施す。画像処理部１５０は、ＣＣＤイメージセンサー１３０で生成された画像データに対して処理を施し、表示モニタ２２０に表示するための画像データを生成したり、メモリカード１９０に格納するための画像データを生成したりする。例えば、画像処理部１５０は、ＣＣＤイメージセンサー１３０で生成された画像データに対してガンマ補正やホワイトバランス補正、傷補正などの各種処理を行う。また、画像処理部１５０は、ＣＣＤイメージセンサー１３０で生成された画像データに対して、ＪＰＥＧ規格に準拠した圧縮形式等により画像データを圧縮する。画像処理部１５０は、ＤＳＰやマイコンなどで実現可能である。
【００２０】
コントローラー１６０は、全体を制御する制御手段である。コントローラー１６０は、半導体素子などで実現可能である。コントローラー１６０は、ハードウェアのみで構成してもよいし、ハードウェアとソフトウェアとを組み合わせることにより実現してもよい。コントローラー１６０は、マイコンなどで実現できる。
【００２１】
バッファ１７０は、画像処理部１５０及びコントローラー１６０のワークメモリとして機能する。バッファ１７０は、例えば、ＤＲＡＭ、強誘電体メモリなどで実現できる。
【００２２】
カードスロット１８０は、メモリカード１９０を着脱可能である。カードスロット１８０は、機械的及び電気的にメモリカード１９０と接続可能である。メモリカード１９０は、フラッシュメモリや強誘電体メモリなどを内部に含み、画像処理部１５０で生成された画像ファイル等のデータを格納可能である。
【００２３】
内部メモリ２００は、デジタルカメラ１００を制御するための制御プログラムやデジタルカメラ１００の使用者による操作履歴情報などを記録する。また、内部メモリ２００は、表示モニタ２１０が表示しているＯＳＤ（on-screen display）情報を記憶する。ここで、ＯＳＤ情報とは、表示モニタ２１０に表示している画面の内容を示す情報である。コントローラー１６０は、内部メモリ２００に格納されている制御プログラムに基づいて、デジタルカメラ１００全体を制御する。また、内部メモリ２００に使用者によるデジタルカメラ１００の各種操作履歴を記憶しておくことにより、エラーが発生した場合等にエラーの原因の追究が容易となる。
【００２４】
操作部材２２０は、使用者からの操作を受け付けるユーザーインターフェースの総称である。例えば、使用者からの操作を受け付ける十字キーや決定釦等がこれにあたる。
【００２５】
表示モニタ２１０は、ＣＣＤイメージセンサー１３０で生成した画像データが示す画像や、メモリカード１９０から読み出した画像データが示す画像を表示可能である。
【００２６】
〔１−２−２．背面構成〕
図２は、本発明の実施の形態１にかかるデジタルカメラ１００の背面図である。以下、図２を用いて、各種操作部材について説明する。
【００２７】
レリーズ釦２２１、ズームダイヤル２２２、モードダイヤル２２４は、カメラ本体の上面に配置されている。レリーズ釦２２１は、押下操作を受け付ける。コントローラー１６０は、レリーズ釦２２１が半押し操作されるのに応じて、ＡＥ制御やＡＦ制御を開始する。また、デジタルカメラ１００は、レリーズ釦２２１が全押し操作されるのに応じて、被写体の撮像を行う。
【００２８】
ズームダイヤル２２２は、レリーズ釦２２１の周りに回転可能に配置されている。コントローラー１６０は、ズームダイヤル２２２が回転操作されるのに応じて、光学ズーム制御や電子ズーム制御を開始する。
【００２９】
モードダイヤル２２４は、回転操作を受け付ける。モードダイヤル２２４は、目盛りが設けられており、各目盛りにはデジタルカメラ１００の動作モードが割り当てられている。デジタルカメラ１００の動作モードとは、例えば、再生モードや撮影モードなどである。コントローラー１６０は、モードダイヤル２２４の回転操作に応じて、モードダイヤル２２４が指定する動作モードでデジタルカメラ１００を制御する。
【００３０】
電源スイッチ２２３、削除釦２３０、液晶モニタ２１０、十字キーは、カメラ本体の背面に配置されている。電源スイッチ２２３は、スライド操作を受け付ける。電源スイッチ２２３は、スライド操作に応じて、デジタルカメラ１００の電源状態を切り替える。
【００３１】
液晶モニタ２１０は、モードダイヤル２２４により選択された動作モードに応じて、メモリカード１９０に格納された画像データやメニュー画面などを表示する。
【００３２】
十字キーは、上キー２２５、右キー２２６、下キー２２７、左キー２２８、決定釦２２９から構成される。十字キーは、４方向及び中央部の５パターンの押下操作を受け付ける。コントローラー１６０は、十字キーの何れかのキーが押下操作されるのに応じて、再生画像データの切り替えなどの液晶モニタ２１０の表示の操作等を行う。
【００３３】
削除釦２３０は、押下操作を受け付ける。コントローラー１６０は、削除釦２３０が押下操作されるのに応じて、予め選択された画像データを削除する。
【００３４】
〔１−２−３．本発明との対応〕
コントローラー１６０は、本発明のＯＳＤ生成手段の一例である。表示モニタ２１０は、本発明の表示手段の一例である。操作部材２２０は、本発明の操作手段の一例である。内部メモリ２００は、本発明の記憶手段の一例である。コントローラー１６０は、本発明の変更手段の一例である。
【００３５】
〔１−３．動作〕
〔１−３−１．操作履歴の記録動作の一例〕
本実施の形態にかかるデジタルカメラ１００における操作履歴の記録動作について図３を用いて説明する。図３は、デジタルカメラ１００における操作履歴の記録動作を説明するためのフローチャートである。
【００３６】
電源スイッチ２２３を操作することにより、使用者は、デジタルカメラ１００の電源をＯＮに切り替え、デジタルカメラ１００の使用を開始することができる（Ｓ１００）。デジタルカメラ１００の電源がＯＮにされると、コントローラー１６０は、電源がＯＮにされた際の時刻情報を内部メモリ２００に記憶させる。デジタルカメラ１００の使用が開始されると、コントローラー１６０は、使用者からの各種キーの入力操作があるか否かを判断する（Ｓ１１０）。使用者からのキー入力操作があったと判断すると、コントローラー１６０は、内部メモリ２００から現時点において表示モニタ２１０が表示しているＯＳＤ情報を取得する（Ｓ１２０）。ＯＳＤ情報を取得すると、コントローラー１６０は、使用者からのキー入力操作情報と、電源がＯＮされてからの経過時間に関する情報と、その際に表示モニタ２１０が表示しているＯＳＤ情報と、キーが使用者から開放された際の経過時間に関する情報とを対応付けて内部メモリ２００に記憶させる（Ｓ１３０）。内部メモリ２００にキー入力操作情報等を記憶させると、コントローラー１６０は、使用者によるキー入力操作に対応する処理を各種部材に実行させる（Ｓ１４０）。
【００３７】
以下、具体例について図４、図５を用いて説明する。図４は、表示モニタ２１０の表示画面を説明するための模式図である。また、図５は、内部メモリ２００が記憶する操作履歴情報を説明するための模式図である。
【００３８】
例えば、使用者による電源スイッチ２２３の操作を受け付けることにより、デジタルカメラ１００の電源はＯＮとなる。これにより、コントローラー１６０は、電源がＯＮにされた際の年月日情報及び時刻情報を内部メモリ２００に記憶させる。この際に画面２４０のような再生画像の選択画面が表示されたとする。太い枠により囲まれている左下の画像データは、現在使用者により選択されている画像データである。
【００３９】
次に、使用者が上キー２２５を選択したとする。そうすると、コントローラー１６０は、ＯＳＤ情報としての「再生画像選択画面」という情報と、キー操作としての「上キー」という情報と、その際に電源ＯＮされてから経過した時間に関する情報と、キーが使用者の押下から解放された際の経過時間に関する情報とを対応付けて内部メモリ２００に記憶させる。内部メモリ２００にキー操作情報等を記憶させると、コントローラー１６０は、太枠を一つ上の画像データに移動した画面２５０を表示モニタ２１０に表示させる。なお、ここで、ＯＳＤ情報である「再生画像選択画面」等の表示モニタ２１０が表示し得る全てのＯＳＤ情報に予め「０００」や「００１」等の値を割り振り、それらの値をＯＳＤ情報として記憶することでこのような構成を実現可能である。また、「上キー」等のキー操作についても予め「００」や「０１」等の値を割り振り、それらの値をキー操作に関する情報として記憶することでこのような構成を実現可能である。
【００４０】
次に、使用者が右キー２２６を押下したとする。そうすると、コントローラー１６０は、ＯＳＤ情報としての「再生画像選択画面」という情報と、キー操作としての「右キー」という情報と、その際の電源ＯＮ時からの経過時間情報と、キーが使用者の押下から解放された際の経過時間情報とを対応付けて内部メモリ２００に記憶させる。内部メモリ２００にキー操作情報等を記憶させると、コントローラー１６０は、太枠を一つ右の画像データに移動した画面２６０を表示モニタ２１０に表示させる。
【００４１】
次に、使用者が削除釦２３０を押下したとする。そうすると、コントローラー１６０は、ＯＳＤ情報としての「再生画像選択画面」という情報と、キー操作としての「削除釦」という情報と、その際の電源ＯＮ時からの経過時間情報と、キーが使用者の押下から解放された際の経過時間情報とを対応付けて内部メモリ２００に記憶させる。内部メモリ２００にキー操作情報等を記憶させると、コントローラー１６０は、削除の確認を使用者に促す表示を示した画面２７０を表示モニタ２１０に表示させる。
【００４２】
次に、使用者が上キー２２５を押下したとする。そうすると、コントローラー１６０は、ＯＳＤ情報としての「削除画面」という情報と、キー操作としての「上キー」という情報と、その際の電源ＯＮ時からの経過時間情報と、キーが使用者の押下から解放された際の経過時間情報とを対応付けて内部メモリ２００に記憶させる。内部メモリ２００にキー操作情報等を記憶させると、コントローラー１６０は、削除の確認を使用者に促す表示における太枠を一つ上に移動した画面２８０を表示モニタ２１０に表示させる。
【００４３】
次に、使用者が決定釦２２９を押下したとする。そうすると、コントローラー１６０は、ＯＳＤ情報としての「削除画面」という情報と、キー操作としての「決定釦」という情報と、その際の電源ＯＮ時からの経過時間情報と、キーが使用者の押下から解放された際の経過時間情報とを対応付けて内部メモリ２００に記憶させる。内部メモリ２００にキー操作等を記憶させると、コントローラー１６０は、一つの画像データを削除し、残った画像データを整列し直した画面２９０を表示モニタ２１０に表示させる。
【００４４】
このように、本実施の形態にかかるデジタルカメラ１００は、使用者によるキー入力等の操作を受け付けると、受け付けたキー入力の内容と、その際に表示モニタ２１０が表示している表示内容とを対応付けて内部メモリ２００に記憶する。この理由について以下に述べる。
【００４５】
デジタルカメラ１００のような携帯型電子機器においては、自機の大きさが小さいため、操作手段として多くの操作部材を設けることができない。そのため、デジタルカメラ１００は、ＯＳＤに様々な選択肢を表示することにより、少ない操作部材で多くの機能の操作を行うことを可能としている。その結果、使用者による操作履歴として、操作手段の操作結果のみを記憶していたのでは、後でその操作履歴を参照したとしても使用者が具体的にどのような機能の操作をしていたかについては検証できない。そこで、本実施の形態にかかるデジタルカメラ１００は、使用者の操作履歴を内部メモリ２００に記憶させる際に、使用者によるキー入力の内容と、その際に表示モニタ２１０が表示している表示内容とを対応付けて内部メモリ２００に記憶する。これにより、後で内部メモリ２００に記憶されている操作履歴を参照することにより、デジタルカメラ１００に対して使用者がどのような操作を行っていたかをより詳しく検証することができる。その結果、例えば、デジタルカメラ１００が故障した際に、操作履歴を参照することにより故障原因をより容易に検証することができる。
【００４６】
また、本実施の形態にかかるデジタルカメラ１００は、使用者によるキー入力等の操作を受け付けると、受け付けたキー入力の内容と、その際に表示モニタ２１０が表示している表示内容と、その際の電源ＯＮ時からの経過時間に関する情報とを対応付けて内部メモリ２００に記憶する。また、本実施の形態にかかるデジタルカメラ１００は、電源をＯＮにした際に、その際の年月日及び時刻情報を内部メモリ２００に記憶する。このように、電源ＯＮ時の年月日及び時刻情報を記憶しつつ、キー入力等がされた際の電源ＯＮ時からの経過時間情報を記憶することにより、デジタルカメラ１００は、少ない情報のみを記憶するだけで、エラー等が生じた時間を正確に操作履歴として残すことができる。その結果、デジタルカメラ１００の修理担当者は、故障の原因を検証する際に、使用者からデジタルカメラ１００の故障した年月日及び時刻情報を得れば、容易にデジタルカメラ１００の故障の原因を追究できる。
【００４７】
〔１−３−２．十字キーが長押しされた場合の操作履歴の記録動作の一例〕
十字キーが使用者により長押しされた場合の操作履歴の記録動作について図６、図７を用いて説明する。図６は、十字キーが長押しされた場合の操作履歴の記録動作を説明するための模式図である。図７は、十字キーが長押しされた場合において操作履歴が記録される記録態様を説明するための模式図である。
【００４８】
例えば、使用者による電源スイッチ２２３の操作を受け付けることにより、デジタルカメラ１００の電源はＯＮとなる。この際に画面３００のような再生画像の選択画面が表示されたとする。太い枠により囲まれている左下の画像データは、現在使用者により選択されている画像データである。
【００４９】
次に、使用者が右キー２２６の長押しを開始したとする。そうすると、コントローラー１６０は、図７に示すように、ＯＳＤ情報としての「再生画像選択画面」という情報と、キー操作としての「右キー」という情報と、その際の電源ＯＮ時からの経過時間情報と、使用者によるキー押下が開放された際の電源ＯＮ時からの経過時間情報とを対応付けて内部メモリ２００に記憶させる。使用者が右キー２２６を押下している間、表示モニタ２１０の表示は、画面３１０、画面３２０、画面３３０、画面３４０、画面３５０と変化していく。つまり、使用者により選択されている画像データは、右キー２２６の長押しが継続している間変化し続ける。しかしながら、内部メモリ２００は、右キー２２６が長押しされている場合に表示モニタ２１０の表示が変化し続けても、操作履歴としては特に何も記憶しない。以下、このような構成にする理由を述べる。
【００５０】
このように、右キー２２６の長押しされている場合には、使用者により選択される項目は目まぐるしく変化する。従って、使用者により選択されている項目が変化するたびに操作履歴を記憶していたのでは、内部メモリ２００のうちの操作履歴の記憶のために用意されている容量はすぐに消費してしまう。よって、本実施の形態にかかるデジタルカメラ１００においては、十字キーの長押しがされた場合であっても、最初の一度の押下についての操作履歴だけを内部メモリ２００に記憶させる構成とした。
【００５１】
また、十字キーが長押しされている場合には、基本的に、画面の内容自体（例えば、再生画像選択画面や削除画面）は変更されない場合が多い。従って、長押しの場合の一度の押下分についての使用者による操作履歴を内部メモリ２００に記憶させておけば、デジタルカメラ１００の故障の原因を追究する場合に、デジタルカメラ１００が故障した際に使用者がデジタルカメラ１００に対して何に関する操作をしていたかについては検証可能である。
【００５２】
また、本実施の形態にかかるデジタルカメラ１００は、使用者によるキー押下された際の電源ＯＮ時からの経過時間と、キー押下が開放された際の電源ＯＮ時からの経過時間とを内部メモリ２００に記憶する。従って、押下された際の時間情報と開放された際の時間情報とを参照することにより、使用者がキーを長押ししていたことを操作履歴から知ることができる。その結果、デジタルカメラ１００の修理担当者は、操作履歴を参照することにより、使用者がキーの長押しをしていたか否かを知ることができる。その結果、修理担当者は、キーの長押しによりデジタルカメラ１００が故障した場合においても、故障原因の追究を容易にできる。
【００５３】
よって、本実施の形態にかかるデジタルカメラ１００においては、十字キーの長押しがされた場合であっても、最初の一度の押下についての操作履歴だけを内部メモリ２００に記憶させる構成とした。
【００５４】
なお、本実施の形態にかかるデジタルカメラ１００においては、操作キーが長押し操作を受け付けた場合に、最初のＯＳＤ情報と操作キーの情報とを対応付けて記憶する構成とした。しかしながら、必ずしもこのような構成とする必要はない。例えば、必ずしも最初のＯＳＤ情報を記憶する必要はなく、操作キーが長押しされている間に変化するＯＳＤ情報のいずれかのＯＳＤ情報と長押しされている操作キーの情報とを対応付ける構成としてもよい。
【００５５】
〔１−４．本実施の形態のまとめ〕
本実施の形態にかかる撮像装置は、複数の表示パターンの中からいずれかの表示パターンを選択してＯＳＤデータを生成可能なコントローラー１６０と、生成されたＯＳＤデータが示すＯＳＤを表示する表示モニタ２１０と、操作部材２２０と、操作部材２２０で受け付けた操作を示す情報と、操作部材２２０が操作を受け付けたときに表示モニタ２１０で表示しているＯＳＤを示す情報とを対応付けて記憶する内部メモリ２００と、を備える。
【００５６】
これにより、後で内部メモリ２００に記憶されている操作履歴を参照することにより、デジタルカメラ１００に対して使用者がどのような操作を行っていたかをより詳しく検証することができる。その結果、例えば、デジタルカメラ１００が故障した際に、操作履歴を参照することにより故障原因をより容易に検証することができる。
【００５７】
また、本実施の形態にかかる撮像装置において、内部メモリ２００は、操作部材２２０が受け付ける１回の操作に対して複数の表示パターンが対応する場合、その複数の表示パターンのうちのいずれかを選択して、選択した表示パターンをその操作に対応付けて記憶する。
【００５８】
これにより、内部メモリ２００は、記憶してもあまり意味がない情報は記憶しないこととなる。その結果、内部メモリ２００は、デジタルカメラ１００の故障の原因追及等に有用な情報を多く記憶することとなり、修理担当者は、容易にデジタルカメラ１００の故障原因を追究できる。
【００５９】
また、本実施の形態にかかる撮像装置は、表示モニタ２１０による表示を変更するコントローラー１６０をさらに備え、操作部材２２０は、使用者からの押圧を受け付ける被押圧部材を含み、コントローラー１６０は、被押圧部材が一度押圧されると表示モニタ２１０による表示を一度変更し、被押圧部材が長押しされると表示モニタ２１０による表示を複数回変更し、内部メモリ２００は、操作部材２２０のうちの被押圧部材が一度押圧された場合も長押しされた場合も、被押圧部材が押圧されるのに応じて、操作部材２２０で受け付けた操作を示す情報と、操作部材２２０で操作を受け付けた際に表示モニタ２１０が最初に表示しているＯＳＤに関する情報と、を対応付けて記憶する。
【００６０】
これにより、内部メモリ２００は、記憶してもあまり意味がない情報は記憶しないこととなる。その結果、内部メモリ２００は、デジタルカメラ１００の故障の原因追及等に有用な情報を多く記憶することとなり、修理担当者は、容易にデジタルカメラ１００の故障原因を追究できる。
【００６１】
また、本実施の形態にかかる撮像装置において、内部メモリ２００は、操作部材２２０が受け付けた操作を示す情報と、操作部材２２０が操作を受け付けた際の時間に関する情報と、操作部材２２０が操作を受け付けた際に表示モニタ２１０が表示しているＯＳＤに関する情報と、を対応付けて記憶する。
【００６２】
これにより、操作履歴を参照しながらデジタルカメラ１００の故障の原因を検証する際に、使用者からデジタルカメラ１００の故障した年月日及び時刻情報を得れば、故障の原因の追究が容易となる。
〔２．他の実施の形態〕
以上により、本発明の実施の形態として、実施の形態１を説明した。しかし、本発明は、これらには限定されない。そこで、本発明の他の実施の形態を本欄にまとめて説明する。
【００６３】
本実施の形態１にかかるデジタルカメラにおいては、使用者により、操作部材２２０が操作された場合のみ操作履歴を内部メモリ２００に記憶する構成とした。しかしながら必ずしもこのような構成とする必要はない。使用者により操作部材２２０が操作されない場合において、デジタルカメラ１００にエラーが発生し、表示モニタ２１０がエラー表示をするような場合に、内部メモリに表示モニタ２１０がエラー表示をしている旨を時刻情報等と対応付けて記憶するような構成としてもよい。これにより、より詳細にデジタルカメラ１００の故障原因を追究することができる。
【００６４】
また、本発明を適用した撮像装置の光学系及び駆動系は、図１に示すものに限定されない。例えば、図１では３群構成の光学系を例示しているが、他の群構成のレンズ構成としてもよい。また、それぞれのレンズは、１つのレンズで構成してもよく、複数のレンズから構成されるレンズ群として構成してもよい。
【００６５】
実施の形態１では、撮像手段として、ＣＣＤイメージセンサー１３０を例示したが、本発明はこれに限定されない。例えば、ＣＭＯＳイメージセンサーで構成してもよく、ＮＭＯＳイメージセンサーで構成してもよい。
【００６６】
画像処理部１５０とコントローラー１６０とは、１つの半導体チップで構成してもよく、別々の半導体チップで構成してもよい。
【産業上の利用可能性】
【００６７】
本発明は、デジタルスチルカメラやデジタルビデオカメラなどに適用可能である。
【図面の簡単な説明】
【００６８】
【図１】デジタルカメラ１００の電気的構成を示すブロック図
【図２】デジタルカメラ１００の背面構成を示す模式図
【図３】デジタルカメラ１００の操作履歴記録動作を説明するためのフローチャート
【図４】画像データを削除する際の表示モニタ２１０の表示の具体例を示す模式図
【図５】操作履歴が記録される記録態様を説明するための模式図
【図６】十字キーが長押しされた場合の操作履歴の記録動作を説明するための模式図
【図７】操作履歴が記録される記録態様を説明するための模式図
【符号の説明】
【００６９】
１００    デジタルカメラ
１１０    光学系
１２０    レンズ駆動部
１３０    ＣＣＤイメージセンサー
１４０    Ａ／Ｄコンバータ
１５０    画像処理部
１６０    コントローラー
１７０    バッファ
１８０    カードスロット
１９０    メモリカード
２００    内部メモリ
２１０    表示モニタ
２２０    操作部材
２２１    レリーズ釦
２２２    ズームレバー
２２３    電源スイッチ
２２４    モードダイヤル
２２５    上キー
２２６    右キー
２２７    下キー
２２８    左キー
２２９    決定釦
２３０    削除釦
【図１】
2010050690.tif 000003
【図２】
2010050690.tif 000004
【図３】
2010050690.tif 000005
【図４】
2010050690.tif 000006
【図５】
2010050690.tif 000007
【図６】
2010050690.tif 000008
【図７】
2010050690.tif 000009